(57)【特許請求の範囲】
【請求項１】
比較的浅い水域の水深の最下部に堆積したヘドロと水の境にネット(1)を敷設して鉄筋棒(11)からなる重り(8)で固定し、ネット(1)の浮き上がりを防止するために鉄材を詰めた袋体（12）を当該ネット(1)に縫着又は針金で止著し且つ浮島型接触酸化装置(3)をワイヤーを介してヘドロ層に打ち込んで水中に浮かせたまま係留し、又は水中型接触酸化装置(3)を水中において架台(9)を介して固定し、ヘドロの巻き上りによる水質の富栄養化を抑制し、その水深上部に生物処理用の接触酸化装置(3)又は水中型接触酸化装置(3′)を設けて水域の緩やかな水循環を行いながら水質を効率よく浄化することを特徴とする静水状態の湖沼や池におけるヘドロ巻き上り抑制設備を併用した水質浄化方法。
【請求項２】
静水状態の湖沼や他におけるヘドロ巻き上り抑制設備を併用した水質浄化装置において、比較的浅い水域の緩やかな水循環を行いながら水質を効率よく浄化するために比較的浅い水域の水深の最下部に堆積したヘドロと水の境に敷設したネット(1)と、ネットの浮き上り防止するために該ネットに縫着又は針金で止着した鉄材を詰めた袋体と、ワイヤーを介してヘドロ層に打ち込んで水中に浮かせたまま係留した水中型接触酸化装置(3′)又は水中において架台を介して固定した浮島型接触酸化装置(3)と、当該接触酸化装置の近傍の周囲に設置した複数の水循環装置(6)と、且つ当該ネット平面のほぼ全域にわたって分散して載置した金属棒(11)からなる重り(8)と、ネットの縁辺に沿って間隔をあけて打ち込んでなるアンカー(7)とからなることを特徴とする静水状態の湖沼や池におけるヘドロ巻き上り抑制設備を併用した水質浄化装置。
【発明の詳細な説明】
【技術分野】
【０００１】
本発明は、ヘドロの堆積した水深の比較的浅い湖沼や池におけるヘドロの巻き上り抑制設備を併用した水質浄化方法及び装置に関するもので、すでに堆積したヘドロの巻き上りによる汚濁を抑制し、その水域の浄化ができるようにしたものである。
【背景技術】
【０００２】
上記の水深の比較的浅い静水状態の水域における汚濁を防ぐのに、流入する栄養分と蓄積されたヘドロから溶出する栄養分の両方を対象にする必要があった。ヘドロからの影響を除去するため、浚渫や開堀、薬剤散布等も行われてきた。浚渫や開堀は悪臭の発生やヘドロの処理場、高コストであるなどの問題を抱え、薬剤散布は水域の生態系破壊を招く危険性をはらんでいる。
【０００３】
従来、液中への酸素の溶解効率を高めることができ、溶存酸素濃度を十分に上昇させることができる酸素溶解装置を提供する発明（特許文献１）や、建設や維持に要する費用を削減することができる水質浄化装置を提供するもの（特許文献２）は知られている。
【先行技術文献】
【特許文献】
【０００４】
【特許文献１】特開２０００−１４０８８１号公開公報
【特許文献２】特開２００６−１０２７０１号公開公報
【０００５】
上記の特許文献１は、液中への酸素の供給を効率良く行うことができ、好気性水処理装置に適用することにより、十分な溶損存酸素濃度で効率のよい水処理を行うことができるとしている。また、特許文献２は、本装置における、初段槽、次段槽、連通口及び本活性剤により簡単に構成することができ、建設や維持に要する費用を抑えることができることに加え、本活性剤を用いて高効率に水質浄化を行うことができる。これらは、いずれも水質浄化を図るものとしている。
【発明の概要】
【発明が解決しようとする課題】
【０００６】
上記静水状態の湖・沼・用水堀・お濠・池等において、例えば春から夏にかけて水温が上昇して高温になると、その水中に緑藻類や珪躁類、さらにはアオコが発生して緑色に濁ることが往々にしてある。この状態が長く続くと単細胞藻類が盛んに繁殖しだし、景観上も水辺特有の清浄感が無くなり、腐敗臭がしたり、やがて酸素欠乏の状態になって、魚が浮きあがったりして環境衛生的にも好ましくない。下水道の発達とともに水域に流入する栄養分はかなり改善されているが、これまで蓄積されたヘドロは高い栄養分を含んでおり、そこからの溶出で上記状態の改善には至っていない。
【課題を解決するための手段】
【０００７】
本発明は上記の課題を解決し、且つ発明の目的を達成するために提供するものである。
【０００８】
本発明の第１は、静水状態の湖沼や池におけるヘドロ巻き上り抑制設備を併用した水質浄化方法において、水深の比較的浅い水域の水深の最下部に堆積したヘドロと水の境にネットを敷設して鉄筋棒からなる重りと、ネットの浮き上がりを防止するために鉄材を詰めた袋体を当該ネット体に縫着又は針金で止着し、且つ浮島型接触酸化装置をワイヤーを介してヘドロ層に打ち込んで水中に浮かせたまま係留し、又は水中型接触酸化装置を水中において架台を介して固定し、水の流れによるヘドロの巻き上りによる水質の富栄養化を抑制し、その水深上部に生物処理用の接触酸化装装置又は水中型接触酸化装置を設けて水域の緩やかな水循環を行いながら水質を効率よく浄化するようにしたものである。
【０００９】
本発明の第２は、静水状態の湖沼や池におけるヘドロ巻き上り抑制設備を併用した水質浄化装置において、比較的浅い水域の緩やかな水循環を行いながら水質を効率よく浄化するために比較的浅い水域の水深の最下部に堆積したヘドロと水の境に敷設したネットと、ネットの浮き上り防止するために該ネットに縫着又は針金で止着した鉄材を詰めた袋体と、ワイヤーを介してヘドロ層に打ち込んで水中に浮かせたまま係留した水中型接触酸化装置又はを水中において架台を介して固定した浮島型接触酸化装置と、当該接触酸化装置の近傍の周囲に設置した複数の水循環装置と、且つ当該ネット平面のほぼ全域にわたって分散して載置した鉄筋棒の重りと、ネットの縁辺に沿って間隔をあけて打ち込んでなるアンカーとからなるものである。
【発明の効果】
【００１０】
本発明は上記の構成であるから、ネットによって静水域における最下層からヘドロの巻き上りによる過度の栄養分の溶出を抑制し、水域に緩やかな水循環を起こしてもヘドロの影響を最小限に抑える事を可能とする。さらに接触酸化装置で生物処理により栄養分を分解し、処理した水で水域を循環させ動物プランクトンから魚類までを活性化して水質を改善する事ができる。水質は悪臭が無くなり、藻類の発生も抑えられ、澄んだ水域へと変化していく。水質が改善されることでネットの上に堆積するヘドロは微量となり、ネットの効果は長期間持続することとなる。
【００１１】
また、ネットの浮き上がり防止に撒く鉄筋棒から溶出する鉄イオンは水中のリン酸と結合し、リン酸鉄を形成して沈殿する。鉄筋棒は重りとしてだけではなく、水中からリン分を除去し水質浄化にも効果を発揮する。
【００１２】
さらに、ネットの材質にかかわらずネット面に着床性の珪藻類が発生し、栄養分を吸収する。ヘドロから溶出する栄養分の消費、分解にも効果を発揮し、ヘドロの表面を改善する効果も大きい。藻類の基盤工としての効果もある。
しかも、本発明に係る方法及び装置は、他の接触酸化による浄化装置と併用することもできる。
【図面の簡単な説明】
【００１３】
図１は本発明装置に係る浮島型の平面図である。
図２は本発明装置に係る浮島型の概略正面図である。
図３は本発明装置に係る水中型の平面図である。
図４は本発明装置に係る水中型の概略正面図である。
図５は本発明装置に係る敷設用ネットの応用型の平面図である。
図６は本発明装置に係る応用型ネットの概略正面図である。
図７は図５の一部を拡大した斜視図である。
【発明を実施するための形態】
【００１４】
本発明に係る水質浄化方法は、まず、生物処理用の接触酸化装置におけるポンプ室の駆動開始により、水取り込み口から中に入り込んだ水は接触酸化室で生物処理して栄養分を分解する。生物処理された水はポンプ室からデリバリーホースを通って水循環装置から外部に排出され水に緩やかな循環流を発生させる。水を循環させる水域は水中の最下部にネットを敷設し、ヘドロ巻き上り抑制を行うため、過度な栄養分の溶出を抑えた状態で効率よく接触酸化が機能する。
【実施例】
【００１５】
上記の手段に基づく実施例は以下のとおりである。図１〜図４において、１、１′はネットであり、合成繊維、天然繊維、金属繊維からなる。２は浮島型接触酸化装置の水取込口、２′は水中型接触酸化装置の水取込口を示す。３は生物処理用の浮島型接触酸化装置、３′は水中型接触酸化装置を示す。４は浮島型接触酸化装置のポンプ室であり、当該接触酸化装置で生物処理した水を排出するようになっている。４′は水中型接触酸化装置のポンプ室である。５は生物処理された水をポンプ室４（又は４′）と水循環装置とを接続するデリバリーホース、６は水循環装置であり、ポンプ室４、４′とデリバリーホース５で連結され、水域に緩やかな水循環を形成する。上記の水循環装置６は、放水ノズルと架台からなり、水中で自立しポンプ室からの処理水を放出する。
【００１６】
７はアンカーであり、浮島型接触酸化装置３をワイヤーを介してヘドロ層に打ち込んで水中に浮かせたまま係留するようになっている。８は鉄筋棒１１からなる重りであり、ネット１をヘドロ面に展開して敷設するに当たって水域に水がある場合は水面に浮かせながら展開し、展開完了後、片側の端の部分に設置し、ネット１を沈めたときに移動しないようにしてある。上記の重り８は、取扱いやすい長さに切断した鉄筋棒１１とし、これをヘドロ面の上に敷設したネット１の上に撒きながら空気と魚類等を逃がすように沈めていくようにしてある。９は水中型接触酸化装置３′を水中において固定する架台である。１０は敷設したネット１の四辺に打ち込んで、鉄筋棒１１からなる重り８と共に敷設したネット１の安定化を図るアンカーバーである。図５〜図７において、１２はネット１′に縫着又は針金等で止着した袋体であり、その内部に鉄材を詰めて重りとするものである。図中１３はヘドロ、１４はネットの縁、１５はネット同士の結束用孔を示す。
【００１７】
「具体的な設置例」
（１）まず、敷設する水域に水がある場合は、保管や搬送のために折り畳んである広面積のネット１を水面に浮かせるようにして展開する。
（２）ネット１の敷設にあたっては、当該ネットの比重が軽いものには、鉄筋棒１１からなる重り８を付けて安定させるものとする。
（３）ネット１を水面に浮かせて展開した後、そのネットの片側の端の部分に重り８を設置しネット１を沈め、予め扱いやすい長さに切断した鉄筋棒１１を重り８としてネットの上に撒きながら空気と魚類等を逃がすように沈めていく。
（４）そして、ネット１の各縁辺には鉄筋棒１１からなる重り８を載置してネットが移動しないように安定化させる。
（５）開堀した状態での敷設では、ヘドロの上にネット１を展開した後、鉄筋棒１１からなる重り８を四辺に置いて安定させ、鉄筋棒１１からなる重り８をネット１の上に満遍なく撒いた状態で載置して浮き上がり防止とする。
（６）浮島型接触酸化装置３を水中に入れて、ワイヤー及びアンカーを介して設置する。
（７）また、複数の水循環装置６を浮島型接触酸化装置３の周囲に設置し、デリバリーホース５で浮島型接触酸化装置３のポンプ４と水循環装置６を接続する。
【００１８】
「具体的な工程例」
（１）生物処理用の浮島型接触酸化装置３（又は水中型接触酸化装置３’）のポンプ室４（又は４′）の駆動開始により、水取込口２（又は２′）から入った水は接触酸化室３（３′）で生物処理して栄養分を分解する。
（２）生物処理された水は、ポンプ室４（又は４′）からデリバリーホース５を通って水循環装置６から排出され水に緩やかな循環流を発生させる。
（３）水を循環させる水域は、水中の最下部に敷設したネット1（又は１′）により、ヘドロ巻き上り抑制を行うため、過度な栄養分の溶出を抑えた状態で効率よく接触酸化が機能する。
【００１９】
「具体的な使用例」
生物処理用の接触酸化装置３（又は３′）のポンプ室４（又は４′）の駆動開始により、水取込口２（又は２′）から入った水は接触酸化室３（又は３′）で生物処理し栄養分を分解する。生物処理された水はポンプ室４（又は４′）からデリバリーホース５を通って水循環装置６から排出され水に緩やかな循環流を発生させる。水を循環させる水域は水中の溶出を抑えた状態で効率よく接触酸化が機能する。
【符号の説明】
【００２０】
１、１′……ネット
２……浮島型接触酸化装置の水取込口
２′
……水中型接触酸化装置の水取込口
３……浮島型接触酸化装置
３′……水中型接触酸化装置
４……浮島型接触酸化装置のポンプ
４′……水中型接触酸化装置のポンプ
５……デリバリーホース
６……水循環装置
７……アンカー
８……重り
９……架台
１０……アンカーバー
１１……鉄筋棒
１２……袋
１３……ヘドロ
１４……ネットの縁
１５……結束用孔
【図１】
0005561736.tif 000002
【図２】
0005561736.tif 000003
【図３】
0005561736.tif 000004
【図４】
0005561736.tif 000005
【図５】
0005561736.tif 000006
【図６】
0005561736.tif 000007
【図７】
0005561736.tif 000008